(57)【特許請求の範囲】
【請求項１】
外壁がカーテンウォール構造をとっている鉄骨構造の建物の内壁において、鉄骨躯体のラーメン柱間に、断熱内壁パネルを施工する構造であって、
対向配置された一対の横桟材間に、縦桟材および縦中桟材を接続して矩形に枠組みされた鋼製下地枠が形成され、この鋼製下地枠の両側の縦桟材が、横桟材の両端部で、それぞれ所定幅だけスライド移動可能となされ、この鋼製下地枠の外面側に防湿シートが貼設されるとともに、この防湿シートの外面側であって、鋼製下地枠の枠外に、断熱材が貼設されて断熱内壁パネルが構成され、
この断熱内壁パネルは、外面側に断熱材が位置するようにしてラーメン柱間に横並びに複数枚施工され、この状態で、各断熱内壁パネルの鋼製下地枠の両側の縦桟材が、スライド移動可能な所定幅の範囲のいずれかの位置に位置決めされ、これによって横並びに施工されたこれら断熱内壁パネルの横幅方向の全体の納まりが調整されたことを特徴とする断熱内壁パネルの取付構造。
【発明の詳細な説明】
【０００１】
【発明の属する技術分野】
本発明は、断熱内壁パネルの取付構造に関するものである。
【０００２】
【従来の技術】
一般に、鉄骨構造の建物において、外壁がカーテンウォール構造をとっているような場合、内壁の施工に当たって、自立した下地材および断熱材の施工が必要となる。
【０００３】
そこで、従来より、図１０に示すように、矩形に枠組みした木製下地枠ｂの枠内に断熱材ｃを設けるとともに、この木製下地枠ｂの室内側となる内面側に防湿シートｄを貼設して断熱内壁パネルａを構成し、この断熱内壁パネルａを用いて施工することが行われている。この場合、断熱内壁パネルａは、木製下地枠ｂを所定の基準幅に形成しておき、この基準幅の倍数となるように設置した建物躯体のラーメン柱ｅ間に、横並びに接続して施工していた。
【０００４】
【発明が解決しようとする課題】
しかし、上記従来の断熱内壁パネルａの施工構造の場合、木製下地枠ｂを所定の基準幅に形成しているため、設計上は、ラーメン柱ｅ間に横並びに接続した状態で収まることとなるが、実際は、微妙な誤差によって収まらないことがある。したがって、現場で木製下地枠ｂを切除したりして断熱内壁パネルａが収まるように寸法調整をしなければならず、施工作業が煩わしいといった不都合を生じていた。
【０００５】
また、ラーメン柱ｅ間に収まる場合でも、最後の一枚を施工するような場合には、断熱内壁パネルａ同士の間もしくは断熱内壁パネルａとラーメン柱ｅとの間に隙間が無いので施工し難いといった不都合を生じることとなる。
【０００６】
本発明は、係る実情に鑑みてなされたものであって、簡単かつ正確に、横幅方向の納まりを調整した状態で施工することができる断熱内壁パネルの取付構造を提供することを目的としている。
【０００７】
【課題を解決するための手段】
上記課題を解決するための本発明の断熱内壁パネルの取付構造は、外壁がカーテンウォール構造をとっている鉄骨構造の建物の内壁において、鉄骨躯体のラーメン柱間に、断熱内壁パネルを施工する構造であって、対向配置された一対の横桟材間に、縦桟材および縦中桟材を接続して矩形に枠組みされた鋼製下地枠が形成され、この鋼製下地枠の両側の縦桟材が、横桟材の両端部で、それぞれ所定幅だけスライド移動可能となされ、この鋼製下地枠の外面側に防湿シートが貼設されるとともに、この防湿シートの外面側であって、鋼製下地枠の枠外に、断熱材が貼設されて断熱内壁パネルが構成され、この断熱内壁パネルは、外面側に断熱材が位置するようにしてラーメン柱間に横並びに複数枚施工され、この状態で、各断熱内壁パネルの鋼製下地枠の両側の縦桟材が、スライド移動可能な所定幅の範囲のいずれかの位置に位置決めされ、これによって横並びに施工されたこれら断熱内壁パネルの横幅方向の全体の納まりが調整されたものである。
【０００８】
【発明の実施の形態】
以下、本発明の実施の形態を図面を参照して説明する。
【０００９】
図１および図２は断熱内壁パネル１の施工状態を示し、図３および図４は同施工に使用されている断熱内壁パネル１を示している。
【００１０】
すなわち、この断熱内壁パネル１の取付構造は、各断熱内壁パネル１の鋼製下地枠２の横幅を調整することで、横並びに施工されたこれらの断熱内壁パネル１の横幅方向の全体の納まりが調整されたものである。
【００１１】
断熱内壁パネル１は、図３および図４に示すように、鋼製下地枠２の外面側に防湿シート３が貼設されるとともに、この防湿シート３の外面側に断熱材４が貼設されている。
【００１２】
鋼製下地枠２は、断面溝形の一対の横桟材２１を、溝部２１ａが対向するように配置し、この溝部２１ａ間に、断面矩形状の縦桟材２２および縦中桟材２３を嵌め込んで矩形に枠組みした状態に形成されている。
【００１３】
図５（ａ）に示すように、横桟材２１は、両端部の外面側に長孔２１ｂが形成されている。また、縦桟材２２は、両端部の外面側に、横桟材２１の長孔２１ｂに嵌まり込む突起部２２ａが形成されている。そして、縦桟材２２は、横桟材２１の溝部２１ａに嵌め込まれた状態で、この横桟材２１の長孔２１ｂの距離だけ幅方向にスライド移動可能となされている。これにより、鋼製下地枠２は、縦桟材２２のスライド移動する距離の範囲内で幅方向に横幅を調整することが可能となされている。一方、縦中桟材２３は、横桟材２１の溝部２１ａに単に嵌め込まれた状態となされており、この鋼製下地枠２の枠内を横桟材２１の溝部２１ａに沿って自由にスライド移動可能となされている。図５（ｂ）に示すように、この縦桟材２２および縦中桟材２３は、あらかじめ所定の位置に位置決めした後、横桟材２１の室内側となる内面側からビス５を打ちつけることによって仮固定される。縦中桟材２３は、仮固定しているビス５を外して所望の位置にスライド移動させることで、図１に示すように、この鋼製下地枠２の表面に貼設される石膏ボードなどの内壁下地材１０の継ぎ目１０ａの位置に位置させて、下地補強材とすることができる。スライド移動の際に取り外したビス５は、内壁下地材１０を固定する時に、再度、内壁下地材１０の表面から縦中桟材２３に固定される。この縦中桟材２３の数は、特に決まっているものではなく、必要に応じて追加したり、取り外したりすることができる。
【００１４】
防湿シート３は、鋼製下地枠２の外面側全体に貼設される。ただし、鋼製下地枠２は、縦桟材２２が幅方向にスライド移動して幅が変化するので、上述したように、縦桟材２２を、横桟材２１に仮固定した状態とする。そして、この仮固定した状態の鋼製下地枠２の外面全体に合わせて防湿シート３を貼設する。また、縦中桟材２３は、横桟材２１の溝部２１ａに沿って自由にスライド移動可能となされているため、この縦中桟材２３と防湿シート３とは貼り合わせず、横桟材２１および縦桟材２２と、防湿シート３との接する部分を両面テープ３１によって貼り合わせる。この防湿シート３としては、アルミニウム蒸着した、ポリエチレン製またはポリプロピレン製のフィルムを使用することができる。
【００１５】
断熱材４は、上記防湿シート３の外面側であって、鋼製下地枠２の枠外に貼設される。この断熱材４の横幅は、上記防湿シート３と同様に、縦桟材２２を横桟材２１に仮固定した状態の鋼製下地枠２の幅に合致する横幅となるように貼設される。また、この断熱材４の縦幅は、断熱内壁パネル１を施工した状態で、鋼製下地枠２の上辺の横桟材２１と梁５との間隙を充分に被覆することができるように、鋼製下地枠２の上辺の横桟材２１から、かなり上方にはみ出した状態の縦幅となるように貼設される。この断熱材４としては、例えば、フィルム包装された高密度グラスウール製の断熱材４を使用することができる。この断熱材４は、鋼製下地枠２の外面側に貼設された防湿シート３に両面テープ４１によって貼設される。この断熱材４は、鋼製下地枠２に対して一体となった一つの断熱材４を貼設するものであっても良いし、複数の断熱材４を貼設するものであっても良い。また、あらかじめフィルム包装された断熱材４を使用する場合、少なくとも防湿シート３に貼設される部分のフィルムを、あらかじめこの防湿シート３と同材質のものとしておいても良い。この場合、鋼製下地枠２の外面側に断熱材４を貼設するだけで、防湿シート３と断熱材４との双方を貼設したこととできる。
【００１６】
このようにして構成される断熱内壁パネル１は、建物躯体（図示省略）に固定されて、図２に示すように、ラーメン柱６間に横並びに施工される。この際、隣接する断熱内壁パネル１の固定は、図１および図６（ａ）に示すように、これら断熱内壁パネル１の鋼製下地枠２の縦桟材２２の間に、端面視Ｈ形状となされた取付金具７を介在させ、この取付金具７を双方の縦桟材２２にビス５で固定することによって行っても良いし、このような取付金具７を使用せず、図６（ｂ）に示すように、縦桟材２２同士を、長尺のビス５０によって直接固定しても良い。
【００１７】
また、断熱内壁パネル１の鋼製下地枠２の縦桟材２２は、横桟材２１の長孔２１ｂ（図５参照）の距離だけ幅方向にスライド移動可能となされているので、この縦桟材２２を、必要に応じて幅方向にスライド移動させることで、鋼製下地枠２の横幅を調整することができる。ただし、断熱内壁パネル１は、あらかじめ、鋼製下地枠２の縦桟材２２と横桟材２１とを、ビス５によって仮固定しているので、この仮固定された横幅のままで施工できる場合は、図７に示すように、そのまま横幅を調整せずに施工する。そして、横幅を調整する場合は、縦桟材２２と横桟材２１とを仮固定しているビス５を取り、縦桟材２２をスライド移動させて所望の幅に調整した後、図８および図９に示すように、再度、ビス５によってこの縦桟材２２と横桟材２１とを固定することで横幅を調整して施工する。図８は縦桟材２２をスライド移動させて鋼製下地枠２の横幅を狭めた状態を示し、図９は鋼製下地枠２の横幅を拡げた状態を示している。
【００１８】
なお、このように縦桟材２２を幅方向にスライド移動させる場合、この縦桟材２２には、防湿シート３が貼設されているが、この防湿シート３は、鋼製下地枠２の仮固定した状態の横幅となるように設定して貼設しているため、縦桟材２２のスライド移動によって鋼製下地枠２の幅を狭める場合、縦桟材２２に貼設されている部分を剥がして幅を狭めた後、再度、縦桟材２２に貼り戻す。また、少しだけ幅を狭める場合には、このように縦桟材２２に貼設されている部分の防湿シート３を剥がさずに、そのまま幅を狭めても良い。この場合、防湿シート３に若干シワがよることとなるが、このシワは、全体からみると不都合を生じない微々たる程度のものとして処理することができる。一方、縦桟材２２のスライド移動によって鋼製下地枠２の幅をひろげる場合、防湿シート３は、縦桟材２２に貼設されている部分を剥がして幅を拡げた後、再度、縦桟材２２に貼り戻す。この場合、縦桟材２２の一部に防湿シート３が貼設されない部分ができてしまうが、このように防湿シート３が貼設されない部分を無くす方法として、あらかじめ防湿シート３を、幅方向に余裕を持たせたものとしておいても良いし、防湿シート３が貼設されていない縦桟材２２の部分に、防湿テープ（図示省略）を貼設しても良い。
【００１９】
このように、各断熱内壁パネル１の鋼製下地枠２の横幅を調整することで、各断熱内壁パネル１は、ラーメン柱６の間に、隙間無く施工することができる。
【００２０】
なお、本実施の形態では、図２に示すように、ラーメン柱６の間に、断熱内壁パネル１を隙間無く施工して納まりを調整する場合について述べているのが、各断熱内壁パネル１の鋼製下地枠２の横幅を調整することで、わざと隙間ができるように施工して納まりを調整するものであっても良い。
【００２１】
【発明の効果】
以上のように、本発明によると、各断熱内壁パネルの鋼製下地枠の両側の縦桟材を、スライド移動可能な所定幅の範囲のいずれかの位置に位置決めすることによって、横並びに施工されたこれら断熱内壁パネルの横幅方向の全体の納まりを調整してラーメン柱間に断熱内壁パネルを隙間無く施工することができる。したかって、現場で断熱内壁パネルの切断加工などを行うことなく簡単に納まりを調整して、優れた断熱効果の施工構造とすることができる。
【図面の簡単な説明】
【図１】断熱内壁パネルの施工状態を示す部分正面図である。
【図２】断熱内壁パネルをラーメン柱間に施工した状態を示す平面図である。
【図３】断熱内壁パネルの全体構成の概略を示す分解斜視図である。
【図４】（ａ）ないし（ｃ）は、断熱内壁パネルの全体構成の概略を示す平面図、正面図および側面図である。
【図５】（ａ）および（ｂ）は、鋼製下地枠の下横桟材の外面側および内面側を示す部分省略正面図である。
【図６】（ａ）および（ｂ）は、隣接する断熱内壁パネル同士の施工状態を示す部分斜視図である。
【図７】（ａ）および（ｂ）は、隣接する断熱内壁パネル同士の鋼製下地枠の上横桟材の部分の外面側および内面側の施工状態を示す部分正面図である。
【図８】（ａ）および（ｂ）は、隣接する断熱内壁パネル同士の鋼製下地枠の上横桟材の部分の外面側および内面側の他の施工状態を示す部分正面図である。
【図９】（ａ）および（ｂ）は、隣接する断熱内壁パネル同士の鋼製下地枠の上横桟材の部分の外面側および内面側のさらに他の施工状態を示す部分正面図である。
【図１０】従来の断熱内壁パネルの施工状態を示す断面図である。
【符号の説明】
１  断熱内壁パネル
２  鋼製下地枠
２１  横桟材
２１ａ  溝部
２２  縦桟材
２３  縦中桟材
３  防湿シート
４  断熱材
【図１】
0003571489.tif 000002
【図２】
0003571489.tif 000003
【図３】
0003571489.tif 000004
【図４】
0003571489.tif 000005
【図５】
0003571489.tif 000006
【図６】
0003571489.tif 000007
【図７】
0003571489.tif 000008
【図８】
0003571489.tif 000009
【図９】
0003571489.tif 000010
【図１０】
0003571489.tif 000011